(57)【要約】      （修正有）【課題】軽量で通気性に優れ、長時間の使用にも負担が少なく、さらに低コストで製造することができる日除け具を提供する。【解決手段】日除け具１は、多数の横棒１１を糸１２で連結して形成される簾状本体１０と、簾状本体１０の上部略中央に形成された凹部１３と、簾状本体１０の両側略下方に形成される切欠部１４と、暖簾１０に設置された肩掛け具１５とを備える。簾状本体１０の一側面に、防水性を有する被覆材を装着した。【選択図】図１
0003186741.tif 000002
【実用新案登録請求の範囲】
【請求項１】
多数の横棒を糸で連結して形成される簾状本体と、簾状本体の上部略中央に形成された凹部と、簾状本体の両側略下方に形成される切欠部と、前記暖簾本体に設置された肩掛け具とを備えることを特徴とする日除け具。
【請求項２】
前記凹部に装着紐を設置した請求項１記載の日除け具。
【請求項３】
前記簾状本体の一側面に、防水性を有する被覆材を装着した請求項１または２記載の日除け具。
【考案の詳細な説明】
【技術分野】
【０００１】  本考案は、軽量で通気性に優れ、且つ低コストで製造することができる日除け具に関する。
【背景技術】
【０００２】  従来より、夏季において屋外で農作業や釣りをする際、直射日光を避けるため日除けを着用する。一般的な日除けとしては、頭部に装着する帽子や手で持つ日傘等がある。【０００３】  しかし、帽子は頭部のみを直射日光からを避けるだけで、身体全体を覆うまでには至らなかった。また日傘を利用すると片手が束縛されてしまい、作業性が低下するという問題があった。【０００４】  上記日除けに関する先行技術として、太陽熱が使用者の背中に伝わらず、しかも使用者の身体のサイズ等に応じて日除け膜体の長さを調節することができる日除けがある。（例えば特許文献１参照）。
上掲特許文献１の日除けは、左右一対の略逆Ｌ字形支柱と、両支柱間に渡し止めされた連結部材と、両支柱間に張設された日除け膜体と、日除け膜体の前面側に設けられた担持部とを備えており、担持部は日除け膜体から所要間隔をあけてその前方に配置されたベース部とベース部上に設けられた肩掛け部及び／またはベルト部を有することを特徴とする。
【先行技術文献】
【特許文献】
【０００５】
【特許文献１】特開２００８−３０７１２４号公報
【考案の概要】
【考案が解決しようとする課題】  しかしながら、特許文献１の日除けは、支柱やベース部、また飲料容器の収納具等が具備されており、全体重量が嵩み長時間の装着には負担が生じた。また製造コストも高くなり、実用性に劣るという問題もあった。【０００６】  そこで本考案は上記の点に鑑み、軽量で通気性に優れ、長時間の使用にも負担が少なく、さらに低コストで製造することができる日除け具を提供することにある。
【解決を解決するための手段】
【０００７】  上記課題を解決するために本考案の日除け具は、多数の横棒を糸で連結して形成される簾状本体と、簾状本体の上部略中央に形成された凹部と、簾状本体の両側略下方に形成される切欠部と、前記暖簾本体に設置された肩掛け具とを備えることを特徴とする。
【０００８】  また、前記凹部に装着紐を設置した。
【０００９】  さらに前記簾状本体の一側面に、防水性を有する被覆材を装着した。
【考案の効果】
【００１０】  本考案の日除け具は、多数の横棒を糸で連結して形成される簾状本体と、簾状本体の上部略中央に形成された凹部と、簾状本体の両側略下方に形成される切欠部と、前記暖簾本体に設置された肩掛け具とを備えることにより、本体が非常に軽量に形成できるため、長時間着用しても身体に負担がなく、作業性を高めることができる。また、通気性に優れるため、夏季における屋外作業にも快適に実施することができる。
【００１１】  また簾状本体の一側面に、防水性を有する被覆材を装着したことにより、雨の中での屋外作業も行うことができる。
【図面の簡単な説明】
【００１２】
【図１】本考案における日除け具の内面を示す正面図である。
【図２】前記日除け具の外面を示す正面図である。
【図３】他の好適例、被覆材を設置した日除け具の正面図である。
【図４】前方から示す使用例である。
【図５】後方から示す使用例である。
【図６】他の好適例、被覆材を設置した日除け具の使用例である。
【考案を実施するための形態】
【００１３】  本考案の日除け具は、軽量で通気性に優れ、長時間の使用にも負担が少なく、さらに低コストで製造することができることを特徴とする。
以下、本考案の日除け具における実施の形態を図面に基づいて説明する。
【００１４】  図示する日除け具１は、多数の横棒１１を糸１２で連結して形成される簾状本体１０と、簾状本体１０の上部略中央に形成された凹部１３と、簾状本体１０の両側略下方に形成される切欠部１４と、前記暖簾本体１０に設置された肩掛け具１５とを備える。
【００１５】  簾状本体１０は、汎用の簾を好適に使用することができる。簾状本体１０の横棒１１は、葦や竹等の素材が使用される。かかる横棒１１を水平状態に複数配列し、綿素材等からなる糸１２を用い、適宜間隔で編成することにより簾状本体１０が形成される。また簾状本体１０の上部には上桟１６が、下部には下桟１７が具備されている。
【００１６】  前記凹部１３は、使用の際、身体の首周囲が配置されるものであり、簾状本体１０の上部の略中央に形成されている。また前記凹部１３の底部には、凹部用桟１８が設置されている。
【００１７】  また、前記簾状本体１０の両側略下方には切欠部１４が形成されている。切欠部１４は、前記簾状本体１０の両側であって、下方に向かう状態で湾曲状に切欠されている。前記切欠部１４を形成することで、簾状本体１０の全体重量を軽減できるとともに、簾状本体１０の腰周辺が細状となり作業時の身動きをスムーズに行うことができる。なお、前記簾状本体１０に切欠部１４を形成する際、連結する糸１２も湾曲形状に沿って編成することが好ましい。
【００１８】  肩掛け具１５は、簾状本体１０の凹部１３の下方に一対設置されている。前記肩掛け具１５は、紐やゴム等の素材で形成されており、両腕を挿入することにより、図４及び図５に示すように、簾状本体１０を日除け用の装着具として使用することができる。
【００１９】  また、前記凹部１３に装着紐１９を設置した。装着紐１９は、前記凹部１３の上部に鳩目等の連結具２０を介して設置されている。前記凹部１３に装着紐１９を設置することで、図４に示すように簾状本体１０の上部を肩覆部２１として形成することができる。
【００２０】  また他の好適例として、図３に示すように、前記簾状本体１０の一側面（図中外側面）に、防水性を有する被覆材２２を装着した。また前記被覆材２２の上部には、巻回材２４が装着されている。
【００２１】  前記被覆材２２を装着することにより、屋外の作業中に降雨が生じた場合、簾状本体１０と身体を雨水より守ることができる。また、凹部用桟１８の近傍に巻回紐２３を備えることにより、雨が止んだ後、図６に示すように、被覆材２２を巻回材２４に巻回して巻回紐２３にて保持しておくことができる。なお、前記被覆材２２は簾状本体１０に着脱自在に装着してもよい。
【００２２】  次に、本考案の日除け具の使用方法を図４乃至図６に基づいて説明する。
先ず、簾状本体１０の肩掛け具１５に腕を通し、簾状本体１０を背負う。この際、両方の肩覆部２１を身体の前側に配置させる。
【００２３】  次に、装着紐１９にて肩覆部２１を両側より保持する。この状態で図４に示すように、本考案の日除け具１を身体に装着させることができる。
【００２４】  日除け具１を身体に装着すると、図５に示すように、背中の下方（腰部付近）には、湾曲状の切欠部１４が配置されるため、簾状本体１０の下部は細状となるため、身動きが楽になり作業性を向上させることができる。
【００２５】  また図６に示すように、被覆材２２を巻回材２４に巻回して巻回紐２３にて保持しておくことにより、突然の降雨の際、被覆材２２にて簾本体１０を覆うことができ、雨水より身体と簾本体１０を守ることができる。
【００２６】  本考案の日除け具は、上述の構成とすることで、本体が非常に軽量に形成できるため、長時間着用しても身体に負担がなく、作業性を高めることができる。また、通気性に優れるため、屋外作業においても快適に実施することができる。
【００２７】  また簾状本体１０の一側面に、防水性を有する被覆材２２を装着したことにより、突然の降雨により簾状本体１０や身体を濡らすことがなく、雨の中での屋外作業も行うことができる。
【符号の説明】
【００２８】１    日除け具
１０  簾状本体
１１  横棒
１２  糸
１３  凹部
１４  切欠部
１５  肩掛け具
１６  上桟
１７  下桟
１８  凹部用桟
１９  装着紐
２０  連結具
２１  肩覆部
２２  被覆材
２３  巻回紐
２４  巻回材
【図１】
0003186741.tif 000003
【図２】
0003186741.tif 000004
【図３】
0003186741.tif 000005
【図４】
0003186741.tif 000006
【図５】
0003186741.tif 000007
【図６】
0003186741.tif 000008